(57)【要約】【課題】  公衆トイレの便座の不潔感を解消するために、便座にトイレットペーパーをひくが、このときにトイレットペーパーがずれたり、肌についたりすることのないようにするトイレットペーパー固定器を実現する。【解決手段】  円柱部材を並列に配置し、該円柱部材に回転要素部材を設け、円柱部材が回転可能となるように回転要素部材を固定することにより、便座の上にトイレットペーパーを固定するので、公衆トイレの不潔感、または、これを解消するためにトイレットペーパーをひいてもトイレットペーパーがずれたりしないので、完全に公衆トイレの不潔感を解消する事が出来る。【選択図】  図１
2005066270.tif 000002
【特許請求の範囲】
【請求項１】
並列に配置された摩擦力のある２本の円柱部材と、
前記円柱部材に設けられた回転要素部材と、
前記円柱部材が回転可能となるように回転要素部材を固定する固定部材と、
を備えたことを特徴するトイレットペーパー固定器
【請求項２】
当該回転部材に凹凸を設け、摩擦力を強くしたことを特徴とする請求項１記載のトイレットペーパー固定器
【発明の詳細な説明】
【技術分野】
【０００１】  本発明は、トイレットペーパー固定器に関し、特に便座の上にひくトイレットペーパーを固定するトイレットペーパー固定器に関する。
【背景技術】
【０００２】  従来、公衆便所では、多数の人が便座を使用するため、衛生上清潔ではなく、また、使用する人は気分的にも良くないため、便座の上にトイレットペーパーをのせていた。【０００３】  また、下記特許公開広報記載の便座シートなるものが記載されている。詳しくは、使用時は載置した適正な位置を保つことができ、かつ、使用後はそのまま流すことのできる簡易な便座シートに関するものである。【０００４】
【特許文献１】  特開平７−２３１８６２号（段落［０００８］、［０００９］参照）
【発明開示】
【発明が解決しようとする課題】
【０００５】  しかしながら、従来は、公衆トイレを使用するとき、便座の不潔感が嫌な人がトイレットペーパーを便座の上にのせて便座を使用するとき、使用者が便座に座るときトイレットペーパーがずれたり、使用後に肌にトイレットペーパーが付いたりするという問題があった。また、特許文献１に記載の便座シートなるものを購入すれば、便座の不潔感が解消できるが、わざわざ便座シートを購入しなければならず、使い捨てであることからお金がかかるという問題もあった。
【０００６】  そこで、本発明は、このような問題点に鑑み、公衆トイレに設置してあるトイレットペーパーを使用するだけで、公衆トイレの便座の不潔感を解消し、トイレットペーパーを使用したときにトイレットペーパーがずれずに、また、使用後に肌に付かないようにすることを目的とする。
【課題を解決するための手段】
【０００７】  請求項１記載の発明に係るトイレットペーパー固定器は、並列に配置された摩擦力のある２本の円柱部材と、
前記円柱部材に設けられた回転要素部材と、
前記円柱部材が回転可能となるように回転要素部材を固定する固定部材と、
を備えたことを特徴する。
請求項１に従属する請求項２記載の発明に係るトイレットペーパー固定器は、当該回転部材に凹凸を設け、摩擦力を強くしたことを特徴とする。
【発明の効果】
【０００８】  上記したように、本発明によれば、トイレットペーパーを簡単に固定することができ、しかも便座シートを使用しないので、お金がかからずに便座の清潔に使用でき安心感をもたらすという効果が得られる。
また、トイレットペーパーがずれたり、肌にくっついたりしなくなる。
さらに、トイレットペーパーの上から円柱部材を触るので、トイレットペーパー固定器を直に触らなくてもトイレットペーパーを固定できるので、清潔感が保たれるという効果も得られる。
【発明を実施するための最良の形態】
【０００９】  以下、発明の実施の形態を、図面を参照しながら説明する。
図１、図２は本発明に係るトイレットペーパー固定器を示すものである。図１はトイレットペーパー固定器の正面を示す図であり、図２はトイレットペーパー固定器の側面を示す図である。図２のｄの部分は、便座と接する面であり、接着剤、両面テープが貼られる面である。なお、ここでは、ｄの部分に接着剤、両面テープを貼ると説明しているが、両面テープに限らず便座とトイレットペーパー固定器とを接着、固定できるものであれば何でもよい。【００１０】  図３に示すように、トイレットペーパー固定器は、円柱部材ａと回転要素部材ｂと固定部材ｃから構成されている。円柱部材ａは円柱の形状を有しており、さらに、円柱部材ａの両端には回転要素部材ｂが設けられており、回転要素部材ｂは、図３−２に示すように、円柱部材ａに棒が突出した物としてもよく、図３−３は、棒が突出しないで、円柱部材ａに凹んだ形状にしてもよい。要するに、円柱部材ａが回転要素部材ｂを軸に回転すればよいのである。次に、固定部材は図３−１に示すような形状を有する必要はなく、円柱部材ａを回転可能なように回転要素部材ｂの位置を固定できればよい、したがって、固定部材はどんな形状を有していてもよい。なお、回転要素部材ｂが図３−３のように凹んだ形状である場合は、固定部材ｃには突出したものを設けこの突出したものが、凹んでいる回転要素部材の中に入るように設けるようにする。【００１１】  固定部材ｃは回転要素部材ｂを固定するときには，２本の円柱部材ａの間に隙間を設け、かつ、２本の円柱部材ａは平行、かつ、同じ位置、高さに設けるようにする。なお、２本の円柱部材ａの隙間はトイレットペーパーが挟み込める程度である。円柱部材ａはトイレットペーパーを巻き込める程度の摩擦力のあるものであれば、ゴム、プラスチック等何でもよい。回転要素部材ｂ、固定部材ｃは、金属製、その他指の圧力により形状が変わらない材料であればよい。【００１２】  次に、トイレットペーパー固定器の設置について説明する。
トイレットペーパー固定器は、図４に示すように、トイレットペーパーが便座の全体を覆う位置に設置され、図５、図６に示すように外部から両面テープ、接着剤等により便座に固定されたもの、図７に示すように便座に厚みがなければトイレットペーパー固定器ｆの部分を便器に固定しても良い。また、図８、図９に示すように、便座に内蔵しても良い。
要するに、上記したようにトイレットペーパーが便座を幅広く覆うことが出来る位置にトイレットペーパー固定器を固定する。
トイレットペーパー固定器は、図５に示すように並列に配置されたローラ部材の面と平行に便座に配置される。つまり、図２のｄの部分が便座に設置される面である。【００１３】  次に、トイレットペーパー固定器によりどのようにトイレットペーパーが固定されるかを説明する。
まず便座の奥に設置されているトイレットペーパー固定器の上にトイレットペーパーをのせ、トイレットペーパーの上から二つの円柱部材ａの外側を摘まみ、円柱部材ａが内側に回転するように回すことにより、トイレットペーパーが二つの円柱部材ａの内側に挟みこまれ、トイレットペーパーは固定される（図１０、図１１参照）。同様にして、便座の前の方に設置されているトイレットペーパー固定器の上にトイレットペーパーをのせ、トイレットペーパーの上から二つの円柱部材ａの外側を摘まむようにして、円柱部材ａを内側に回転させトイレットペーパーを固定することができる。【００１４】  なお、円柱部材ａは図１２に示すように、摩擦力を増すために凹凸にしたものでもよい。
【図面の簡単な説明】
【図１】  本発明のトイレットペーパー固定器を示す正面図である。
【図２】  トイレットペーパー固定器の側面図である。
【図３】  トイレットペーパー固定器の構造図である。
【図４】  トイレットペーパー固定器を用いてトイレットペーパーを便座へ固定した図である。
【図５】  トイレットペーパー固定器の便座への取り付け位置を示す図である。
【図６】  厚みのある便座へのトイレットペーパー固定器の取り付け位置を示す図である。
【図７】  便座に十分な厚みが無い場合のトイレットペーパー固定器の取り付け位置を示す図である。
【図８】  トイレットペーパー固定器の便座内蔵型の図である。
【図９】  トイレットペーパー固定器の便座内蔵型の図である。
【図１０】  トイレットペーパー固定器動作時の円中部の動きを示す図である。
【図１１】  トイレットペーパー固定器にトイレットペーパーを巻き込んだときのトイレットペーパー固定器の断面図を示す図である。
【図１２】  トイレットペーパー固定器の円柱部の摩擦力をあげるために凹凸を付けた図を示す。
【符号の説明】
ａ，円柱部材
ｂ，回転要素部材
ｃ，固定部材
【図１】
2005066270.tif 000003
【図２】
2005066270.tif 000004
【図３】
2005066270.tif 000005
【図４】
2005066270.tif 000006
【図５】
2005066270.tif 000007
【図６】
2005066270.tif 000008
【図７】
2005066270.tif 000009
【図８】
2005066270.tif 000010
【図９】
2005066270.tif 000011
【図１０】
2005066270.tif 000012
【図１１】
2005066270.tif 000013
【図１２】
2005066270.tif 000014